(57)【要約】【課題】電線の屈曲による負担を軽減しつつ、電線の配索の自由度を向上させる。【解決手段】複数の電線Ｗの端末に設けられるコネクタ１０であって、複数の電線Ｗが後方に引き出される電線引出部３４を有するハウジング３０と、ハウジング３０に設けられたゴム栓収容部４１内に収容され、電線Ｗとゴム栓収容部４１の内周面との間をシールするゴム栓２７と、電線引出部３４に設けられた電線引出口３４Ａを通して電線引出部３４内に装着することでゴム栓２７を抜け止めするバックリテーナ５０とを備え、バックリテーナ５０は、電線Ｗを挿通させつつ、ゴム栓が後方に移動することを防ぐリテーナ本体５２を有しており、リテーナ本体５２において電線Ｗが後方に引き出される位置は、電線引出部３４の電線引出口３４Ａよりも奥部に配されているところに特徴を有する。【選択図】図６
2015103500.tif 000002
【特許請求の範囲】
【請求項１】
複数の電線の端末に設けられるコネクタであって、
前記複数の電線が引き出される電線引出口を有するハウジングと、
前記ハウジング内に収容され、前記電線と前記ハウジングの内周面との間をシールするゴム栓と、
前記ハウジングに前記電線引出口を通して装着することで前記ゴム栓を抜け止めするリテーナとを備え、
前記リテーナは、前記電線を挿通させつつ、前記ゴム栓が抜け方向に移動することを防ぐリテーナ本体を有しており、
前記リテーナ本体において前記電線が引き出される位置は、前記ハウジングの前記電線引出口よりも奥部に配されているコネクタ。
【請求項２】
前記リテーナには、前記リテーナ本体から前記ハウジングの内周面に沿って前記電線引出口まで延びるガイド部が設けられている請求項１記載のコネクタ。
【請求項３】
前記ハウジング内には、前記電線を個別に収容する複数のキャビティが隔壁によって隔たれた形態で一列に並んで設けられており、
前記リテーナ本体から引き出された前記電線が配される空間は、前記リテーナ本体から前記電線引出口までの前記キャビティの間の前記隔壁を切り欠くことにより、前記電線の並び方向に一続きとなっている請求項１または請求項２記載のコネクタ。
【請求項４】
前記電線を覆うシールド部材が接続される金属性のシールドブラケットを備えており、
前記ハウジングにおいて前記リテーナ本体から前記電線引出口までの領域は、前記シールドブラケットに覆われている請求項１乃至請求項３の何れか一項に記載のコネクタ。
【発明の詳細な説明】
【技術分野】
【０００１】
本発明は、コネクタに関する。
【背景技術】
【０００２】
従来、電線の端末に設けられたコネクタとして、下記特許文献１に記載のものが知られている。このコネクタは、電線の端末に接続された複数の端子と、端子を後方から個別に収容する複数のキャビティが横並びに設けられたハウジングとを有している。隣り合うキャビティ間は、ハウジングの後端まで延びる隔壁によって隔てられており、各キャビティの後端部には、バックリテーナに抜け止めされたゴム栓が装着されている。バックリテーナは、複数の電線を挿通させつつ、ハウジングに装着されるようになっており、バックリテーナにおいて電線が後方に引き出される後端位置は、ハウジングの後端位置と同一に設定されている。
【先行技術文献】
【特許文献】
【０００３】
【特許文献１】特開２０１１−６０４５１号公報
【発明の概要】
【発明が解決しようとする課題】
【０００４】
ところで、例えば、コネクタの後方に近接して周辺機器が配されるなどコネクタの後方のスペースが狭い場合、ハウジングの後端位置を曲げ開始位置として電線の曲げ角度を大きくして電線を屈曲させることになり、電線への負担が大きくなってしまう。また、各電線を電線の並び方向である側方に引き出す必要がある場合、電線の曲げ角度が大きいことに加え、各電線が互いに干渉し合うことで電線を屈曲させることができなくなり、電線の配索の自由度が損なわれてしまう虞がある。
【０００５】
本発明は上記のような事情に基づいて完成されたものであって、電線の屈曲による負担を軽減しつつ、電線の配索の自由度を向上させることを目的とする。
【課題を解決するための手段】
【０００６】
上記の目的を達成するための手段として本発明は、複数の電線の端末に設けられるコネクタであって、前記複数の電線が引き出される電線引出口を有するハウジングと、前記ハウジング内に収容され、前記電線と前記ハウジングの内周面との間をシールするゴム栓と、前記ハウジングに前記電線引出口を通して装着することで前記ゴム栓を抜け止めするリテーナとを備え、前記リテーナは、前記電線を挿通させつつ、前記ゴム栓が抜け方向に移動することを防ぐリテーナ本体を有しており、前記リテーナ本体において前記電線が引き出される位置は、前記ハウジングの前記電線引出口よりも奥部に配されているところに特徴を有する。
このような構成のコネクタによると、電線の曲げ開始位置が電線引出口よりもハウジングの奥部になるから、曲げ角度を緩やかにして電線を屈曲させることができる。これにより、電線への負担を軽減することができる。
また、各電線を電線の並び方向に屈曲させる場合においても、電線引出口付近における電線同士の干渉を軽減することができ、電線の配索の自由度を向上させることができる。
【０００７】
本発明の実施の態様として、以下の構成が好ましい。
前記リテーナには、前記リテーナ本体から前記ハウジングの内周面に沿って前記電線引出口まで延びるガイド部が設けられている構成としてもよい。
このような構成によると、ハウジングの内周面にガイド部を沿わせてリテーナ本体をハウジングの奥部まで案内することで、リテーナ本体を不正な姿勢にさせることなく、ハウジングの奥部にリテーナ本体を配置することができる。これにより、ガイド部が設けられていないリテーナに比べて、リテーナを装着する作業効率を向上させることができる。
【０００８】
前記ハウジング内には、前記電線を個別に収容する複数のキャビティが隔壁によって隔たれた形態で一列に並んで設けられており、前記リテーナ本体から引き出された前記電線が配される空間は、前記リテーナ本体から前記電線引出口までの前記キャビティの間の前記隔壁を切り欠くことにより、前記電線の並び方向に一続きとなっている構成としてもよい。
このような構成によると、リテーナ本体から電線引出口までの領域において隔壁がなくなるから、隣のキャビティ内に各電線を進入させるように屈曲させることができる。これにより、電線の曲げ角度をさらに緩やかにして電線を屈曲させることができる。
また、電線引出口付近における電線同士の干渉をさらに軽減することができるから、電線の配索の自由度をより向上させることができる。
【０００９】
前記電線を覆うシールド部材が接続される金属性のシールドブラケットを備えており、前記ハウジングにおいて前記リテーナ本体から前記電線引出口までの領域は、前記シールドブラケットに覆われている構成としてもよい。
例えば、ハウジングの隔壁を切り欠くだけでなく、ハウジング全体を前後に短尺化することにより、電線の配索の自由度を上げることも考えられる。しかしながら、ハウジングにおけるリテーナ本体が配された位置から電線引出口までの領域はシールドブラケットに覆われているから、ハウジングを短尺化すると、電線がシールドブラケットに接触して電線の被覆が損傷する虞がある。よって、本発明の構成は、リテーナ本体から電線引出口までの領域が金属製のシールドブラケットに覆われている場合に有効である。
【発明の効果】
【００１０】
本発明によれば、電線の屈曲による負担を軽減しつつ、電線の配索の自由度を向上させることができる。
【図面の簡単な説明】
【００１１】
【図１】コネクタを斜め前から視た斜視図
【図２】コネクタを斜め後から視た斜視図
【図３】コネクタの背面図
【図４】図３のＡ−Ａ線断面図
【図５】図３のＢ−Ｂ線断面図
【図６】電線を屈曲させた状態を示す断面図であって、図３のＣ−Ｃ線における断面に相当する断面図
【図７】バックリテーナを斜め後から視た斜視図
【図８】バックリテーナの背面図
【図９】同側面図
【図１０】上下に開いたバックリテーナを斜め後から視た斜視図
【発明を実施するための形態】
【００１２】
＜実施形態＞
本発明の一実施形態について図１乃至図１０を参照して説明する。
本実施形態は、車両に搭載される機器の金属製のケース（図示せず）に装着されるコネクタ１０を例示している。なお、以下の説明において、上下方向とは、図３における上下方向を基準とし、左右方向とは、図３における左右方向を基準とする。また、前後方向とは、図４および図５の左右方向を基準とし、ケースに嵌合される図示左側を前側として説明する。
【００１３】
コネクタ１０は、図２、図４および図６に示すように、複数の電線Ｗの端末にそれぞれ接続される複数の端子２０と、複数の端子２０を後方から収容し、複数の電線Ｗが後方に引き出されるハウジング３０と、ハウジング３０の後部に装着されるシールドブラケット７０とを備えて構成されている。
【００１４】
各端子２０は、導電性に優れた金属板材にプレス加工を施すことにより形成されている。また、各端子２０は、図４に示すように、ケース内に配置された機器（図示せず）に接続される板状の機器側接続部２１と電線Ｗに接続される電線接続部２２とを前後に繋げた形態とされている。
機器側接続部２１の前端部には、板厚方向に貫通するナット装着孔２３が設けられている。ナット装着孔２３には、ボルト孔２４Ａを有するナット２４が圧入固定されている。
【００１５】
電線Ｗは、芯線Ｗ１を絶縁被覆Ｗ２で覆った構成とされている。電線Ｗの端末は、絶縁被覆Ｗ２を皮剥ぎすることにより芯線Ｗ１が露出した状態となっており、露出した芯線Ｗ１に端子２０の電線接続部２２が圧着されることで、電線Ｗの端末に端子２０が接続されている。
【００１６】
ハウジング３０は、図１および図２に示すように、左右方向に横長な円柱状をなしている。ハウジング３０の前半分は、ケースに設けられた取付孔（図示せず）に嵌合可能な嵌合部３１とされている。嵌合部３１の外周面には、環状のシールリング３３が装着されたシール溝３２が周設されている。シールリング３３は、嵌合部３１が取付孔に嵌合されると嵌合部３１の外周面と取付孔の内周面とに密着し、ケースと嵌合部３１との間をシールするようになっている。
【００１７】
ハウジング３０の後半分は、後方に開口する電線引出部３４とされ、電線引出部３４の後端開口は、複数の電線Ｗを後方に引き出す電線引出口３４Ａとされている。電線引出部３４は、図４および図５に示すように、嵌合部３１よりも上下方向に小径に形成されており、電線引出部３４の外周には、シールドブラケット７０が後方から装着されている。
【００１８】
シールドブラケット７０は、導電性を有する金属板材をプレス加工するなどして形成されている。また、シールドブラケット７０は、図４乃至図６に示すように、電線引出部３４を全周に亘って完全に覆う筒状のシールド接続部７１と、シールド接続部７１の前縁から径方向外側に広がるフランジ部７２と、フランジ部７２の上端縁における左右方向両側から前方に延出する板状の取付片７３とを備えて構成されている。
【００１９】
取付片７３には、図１および図２に示すように、板厚方向に貫通するボルト挿通孔７４がそれぞれ設けられており、これらのボルト挿通孔７４に固定ボルト（図示せず）を挿通させてケースに締め込むことにより、シールドブラケット７０がケースに固定されると共に、電気的に接続されるようになっている。
【００２０】
シールド接続部７１は、左右方向に横長な長円形の筒状をなしており、電線引出部３４を全周に亘って完全に覆う形態とされている。シールド接続部７１の外周には、図４乃至図６に示すように、電線引出部３４から後方に引き出された複数の電線Ｗを一括して包囲する筒状の編組線（「シールド部材」に相当する）７６が装着可能とされている。シールド接続部７１の外周に編組線７６の端末を被せ、さらにその外周に環状のかしめリング７５をかしめ付けることにより、編組線７６がシールド接続部７１に電気的に接続されると共に固定されるようになっている。
【００２１】
シールド接続部７１の後端開口縁には、図２、図３および図５に示すように、電線引出部３４の上下面に設けられた複数（本実施形態では４つ）のロック片３５が後方から係止可能とされている。
各ロック片３５は、電線引出部３４の外面から電線引出部３４に沿うように後方に向かって延出された片持ち状に形成されており、電線引出部３４の径方向内側に向かって弾性変位可能とされている。各ロック片３５の後端部には、シールド接続部７１の後端縁を後方から係止可能な係止爪３６が設けられている。電線引出部３４にシールド接続部７１を後方から組み付け、シールド接続部７１が正規の位置に至ると、図４および図５に示すように、フランジ部７２が嵌合部３１の後端面に当接することで前止まりされ、シールド接続部７１の後端縁を係止爪３６が後方から係止することで、シールドブラケット７０が電線引出部３４に固定される。
【００２２】
電線引出部３４におけるロック片３５の内側には、図２、図３および図５に示すように、ロック片３５を内側から覆う過度撓み防止壁３７がそれぞれ設けられている。過度撓み防止壁３７は、ロック片３５が内側に向かって弾性変位した際に、ロック片３５と当接することでロック片３５の過度撓みを防止するようになっている。
【００２３】
ハウジング３０の内部には、図４および図６に示すように、嵌合部３１の前端から端子２０の機器側接続部２１を突出させた状態で端子２０を収容する複数のキャビティ３８が嵌合部３１および電線引出部３４に亘って設けられている。複数のキャビティ３８は、左右方向に複数（本実施形態では３つ）並んで設けられており、各キャビティ３８は、前後方向に延びる隔壁３０Ａによって左右に分割されている。
【００２４】
キャビティ３８の左右に位置する内面には、端子２０における機器側接続部２１の左右両側から側方に張り出した張出部２５を前方から係止する係止部３９が設けられており、キャビティ３８に対して端子２０が正規の位置まで挿入されると、図６に示すように、張出部２５が係止部３９に前方から係止され、端子２０が前止まりされるようになっている。
【００２５】
また、キャビティ３８の前端下部には、図４に示すように、前方に向かって片持ち状に延びるランス４０が形成されており、このランス４０は、機器側接続部２１のナット２４の後縁下部を後方から係止可能とされている。キャビティ３８に対して端子２０が正規の位置まで挿入されると、ナット２４がランス４０に後方から係止され、端子２０がキャビティ３８に対して抜け止めされた状態に保持される。
【００２６】
各キャビティ３８の後端部には、図４および図６に示すように、電線Ｗに外嵌された環状のゴム栓２７が後方から収容されるゴム栓収容部４１が設けられている。ゴム栓２７は、ゴム栓収容部４１内に後方から収容されると、ゴム栓収容部４１内に設けられた前止まり部４２によって前止まりされるようになっている。前止まりされたゴム栓２７は、電線Ｗの外周面とゴム栓収容部４１の内周面とに密着し、ハウジング３０と電線Ｗとの間がシールされる。
【００２７】
電線引出部３４内におけるゴム栓２７の後方には、図４および図６に示すように、各ゴム栓２７を一括して抜け止めするバックリテーナ（「リテーナ」に相当する）５０が装着されている。
バックリテーナ５０は、電線引出部３４の電線引出口３４Ａを通して電線引出部３４内に装着されるようになっている。また、バックリテーナ５０は、図６および図８に示すように、ゴム栓２７の後端面に接触する円形の押さえ部５３を連結部５５によって左右方向に複数（本実施形態では３つ）連結した板状のリテーナ本体５２を有している。押さえ部５３は、図３および図４に示すように、キャビティ３８の内径とほぼ同じ外径で、かつゴム栓２７よりも薄い厚さに形成されており、押さえ部５３の中央には、電線Ｗが前後方向に挿通可能な電線挿通孔５４が設けられている。
連結部５５は、左右に真っ直ぐ延びた形態をなしており、上下方向の高さ寸法は、電線Ｗの外径よりも僅かに大きい寸法に設定されている。
【００２８】
また、バックリテーナ５０は、一対の半割体５１を上下方向に互いに組み付けることで構成されるようになっており、図８に示すように、各半割体５１の一方の端部が互いにヒンジ５０Ａによって連結されている。そして、各電線Ｗを上下方向から挟み込むように一対の半割体５１を互いに組み付けることで、電線挿通孔５４に各電線Ｗが挿通されたバックリテーナ５０が構成される。電線Ｗを電線挿通孔５４に挿通させたバックリテーナ５０を電線引出部３４内に挿入し、バックリテーナ５０が正規の挿入位置に至ると、図４および図６に示すように、押さえ部５３がゴム栓２７の後端面に接触することでゴム栓２７の後方への移動が防がれ、ゴム栓２７が抜け止めされる。
【００２９】
また、一対の半割体５１の合わせ位置には、図９および図１０に示すように、前側と後側とで合わせ面が上下にずれた上下一対の突当部５８がそれぞれ設けられている。一対の半割体５１を互いに組み付けると、上下一対の突当部５８同士が組み合わされ、一対の半割体５１が互いに位置ずれすることを抑制できるようになっている。
【００３０】
さて、ゴム栓収容部４１は、図４乃至図６に示すように、電線引出部３４の前端部に配されており、電線引出部３４内におけるゴム栓収容部４１よりも後方の位置には、左右方向に幅広な大キャビティ４３が形成されている。大キャビティ４３は、各キャビティ３８間の隔壁３０Ａを切り欠くことで、左右に並んだ全てのキャビティ３８を連結した大きさに形成されている。
【００３１】
一方、バックリテーナ５０のリテーナ本体５２は、電線引出部３４の電線引出口３４Ａを通して電線引出部３４内に収容されると、大キャビティ４３の奥部（前端部）に配されるようになっており、押さえ部５３の後端面は、電線引出部３４の電線引出口３４Ａを通してハウジング３０の後方に臨む配置とされている。つまり、押さえ部５３の電線挿通孔５４から後方に引き出された電線Ｗは、押さえ部５３の後端位置を起点に屈曲可能とされている。
【００３２】
また、リテーナ本体５２の外周縁部には、大キャビティ４３の内周面に近接して配されるガイド壁（「ガイド部」に相当する）５６が全周に亘って設けられている。ガイド壁５６は、リテーナ本体５２から後方に向けて電線引出口３４Ａの位置まで延びた形態をなしており、大キャビティ４３の内周面に沿うように形成されている。つまり、ガイド壁５６は、バックリテーナ５０を電線引出部３４内に装着する際に、大キャビティ４３の内周面と摺動して、リテーナ本体５２を大キャビティ４３の奥部に案内することができる。これにより、リテーナ本体５２が大キャビティ４３の奥部において傾斜した不正な姿勢になることを防ぎつつ、リテーナ本体５２を大キャビティ４３の奥部に容易に配置することができる。
【００３３】
また、ガイド壁５６によって囲まれた空間は、大キャビティ４３と同様に、全てのキャビティ３８を左右方向に一続きにした大きさとほぼ同じ大きさの配索空間Ｓとされている。つまり、配索空間Ｓ内には、空間を隔てる隔壁がないから、押さえ部５３から後方に引き出されたそれぞれの電線Ｗを上下左右に自由に配索することができ、隣のキャビティ３８の後方に進入するようにして各電線Ｗを左右に屈曲させることができるようになっている。
【００３４】
また、ガイド壁５６のうち、平板状の部分は、図７および図８に示すように、連結部５５に連なる平板ガイド部５６Ｂとされている。平板ガイド部５６Ｂの外面には、図７に示すように、連結部５５の前端から後方に向けて真っ直ぐ延びる嵌合溝５６Ａが設けられている。この嵌合溝５６Ａには、電線引出部３４の過度撓み防止壁３７に対応して設けられた嵌合リブ３７Ａが前方からそれぞれ嵌合可能とされている。各嵌合リブ３７Ａは、前後方向に長い形態をなし、過度撓み防止壁３７におけるロック片３５側とは反対側の面に設けられている。嵌合リブ３７Ａと嵌合溝５６Ａとは、バックリテーナ５０を装着する際に、図５に示すように、前後方向に互いに嵌合されるようになっており、ガイド壁５６に対して左右方向に大きな力がかかった際に、互いに左右方向に当たり合うことでバックリテーナ５０が位置ずれすることを抑制できるようになっている。
【００３５】
また、ガイド壁５６のうち、円弧状をなす部分は、押さえ部５３に連なる弧状ガイド部５６Ｃとされている。各弧状ガイド部５６Ｃには、図７および図８に示すように、外方に向かって突出する係止突起５７がそれぞれ設けられている。バックリテーナ５０が電線引出部３４に対して正規の位置まで収容されると、図４に示すように、各係止突起５７が、電線引出部３４の上下に設けられた係止孔４４にそれぞれ嵌まり込み、バックリテーナ５０が電線引出部３４に保持固定される。
【００３６】
本実施形態のコネクタ１０は、以上のような構成であって、続いてその作用効果を説明する。
まず、コネクタ１０の組み立て方法について簡単に説明する。
ゴム栓２７およびシールドブラケット７０に電線Ｗを先通し、電線Ｗの端末において絶縁被覆Ｗ２を皮剥ぎすることで芯線Ｗ１を露出させる。そして、この露出した芯線Ｗ１に端子２０の電線接続部２２を圧着し、各電線Ｗの端末に端子２０を接続する。
【００３７】
次に、これらの端子２０をハウジング３０の後方から電線引出部３４の電線引出口３４Ａを通して各キャビティ３８内に挿入する。キャビティ３８に対して端子２０が正規の位置まで挿入されると、機器側接続部２１の張出部２５がキャビティ３８の係止部３９に前方から係止されることで、端子２０が前止まりされる。また、キャビティ３８に対して端子２０が正規の位置まで挿入されると、機器側接続部２１のナット２４にランス４０が後方から係止し、端子２０がキャビティ３８内に抜け止めされた状態に保持される。
【００３８】
端子２０がキャビティ３８内に保持されたところで、先通ししたゴム栓２７を電線引出部３４の電線引出口３４Ａを通してゴム栓収容部４１に挿入する。ゴム栓２７がゴム栓収容部４１内に収容されると、前止まり部４２によって前止まりされ、ハウジング３０と電線Ｗとの間がゴム栓２７によってシールされる。
【００３９】
次に、各電線Ｗを一対の半割体５１によって上下から挟み込むようにしてバックリテーナ５０を構成し、電線引出部３４の電線引出口３４Ａを通して、バックリテーナ５０を電線引出部３４の大キャビティ４３に後方から挿入する。このバックリテーナ５０の挿入過程では、リテーナ本体５２が大キャビティ４３内に収容されたところで、ガイド壁５６が大キャビティ４３の内周面と摺動してリテーナ本体５２を大キャビティ４３の奥部に案内する。これにより、リテーナ本体５２が大キャビティ４３の奥部において傾斜した不正な姿勢になることを防ぐことができる。
【００４０】
そして、バックリテーナ５０が正規の挿入位置に至ると、リテーナ本体５２が大キャビティ４３の奥部（前端部）に配され、押さえ部５３がゴム栓２７の後端面に接触することで、ゴム栓２７が後方に抜け止めされる。また、リテーナ本体５２が大キャビティ４３の奥部（前端部）に配されると、押さえ部５３の後端面は、配索空間Ｓおよび電線引出部３４の電線引出口３４Ａを通してハウジング３０の後方に臨んだ状態となる。
また、過度撓み防止壁３７の嵌合リブ３７Ａとガイド部５６の嵌合溝５６Ａとが、図５に示すように、前後方向に互いに嵌合され、バックリテーナ５０が位置ずれすることが抑制される。
【００４１】
次に、電線Ｗに先通ししたシールドブラケット７０のシールド接続部７１を電線引出部３４に後方から組み付ける。そして、電線引出部３４に対してシールド接続部７１が正規の位置に至ると、図４および図５に示すように、フランジ部７２が嵌合部３１の後端面に当接することで前止まりされ、シールド接続部７１の後端縁を係止爪３６が後方から係止することで、シールドブラケット７０が電線引出部３４に固定される。これにより、コネクタ１０が完成する。
【００４２】
次に、このコネクタ１０を機器のケースに固定するには、ケースの取付孔にハウジング３０の嵌合部３１を挿入してシールドブラケット７０のフランジ部７２および取付片７３をケースの外面に接触させる。そして、取付片７３のボルト挿通孔７４に固定ボルト（図示せず）を挿通し、ケースに締め込むことにより、シールドブラケット７０がケースに固定されると共に、電気的に接続される。
【００４３】
ところで、コネクタ１０を装着するケースの後方スペースが狭く、全ての電線Ｗを左右の何れかの方向に引き出さなければならない場合、仮にハウジングの電線引出口の位置において、それぞれの電線を左右の何れかに屈曲させて引き出そうとすると、電線の曲げ角度を大きくして電線を屈曲させることになり、電線への屈曲による負担が大きくなってしまう。また、各電線を左右方向に引き出す際には、電線の曲げ角度を大きくすることに加えて、各電線が互いに干渉し合うことで電線を屈曲させることができず、電線の配索の自由度が損なわれてしまう虞がある。
【００４４】
このような場合に本実施形態によると、隣り合うキャビティ３８を隔てる隔壁３０Ａを切り欠いて大キャビティ４３を形成し、この大キャビティ４３の奥部にリテーナ本体５２を配置してリテーナ本体５２の後方に配索空間Ｓを形成している。
つまり、リテーナ本体５２の後端位置を電線Ｗの曲げ開始位置として、押さえ部５３から後方に引き出された電線Ｗを配索空間Ｓ内において屈曲させることができるから、電線引出口３４Ａまで電線Ｗを引き出した時には、電線Ｗを隣のキャビティ３８の後方周辺まで導くことができる。つまり、電線引出口３４Ａから後方に引き出される電線Ｗの曲げ角度を緩やかにすることができ、電線Ｗへの屈曲による負担を軽減することができる。また、各電線Ｗを配索空間Ｓ内において屈曲させているから、電線引出口３４Ａ付近における電線Ｗ同士の干渉を軽減することができ、電線Ｗの配索の自由度を向上させることができる。
【００４５】
一方、配索空間を設けるために、リテーナ本体のみからなる従来のようなバックリテーナを電線引出部の奥部に配置する方法も考えられるが、リテーナ本体だけだと、バックリテーナを装着する際に、リテーナ本体が大キャビティの奥部において傾斜した不正な姿勢になり易くなるなど、バックリテーナを装着する作業効率が低下してしまう。
【００４６】
ところが、本実施形態によると、リテーナ本体５２の外周縁部にガイド壁５６が設けられているから、大キャビティ４３の内周面にガイド壁５６を摺動させてリテーナ本体５２を電線引出部３４の奥部に正規の姿勢で配置することができる。これにより、ガイド壁５６が設けられていないバックリテーナに比べて、バックリテーナ５０を装着する作業効率を向上させることができる。
【００４７】
また、電線Ｗの配索の自由度を上げるあげるためには、例えば、電線引出部の隔壁を切り欠くだけでなく、電線引出部全体を前後に短尺化することも考えられるが、本実施形態では、電線引出部３４においてリテーナ本体５２が配された位置から電線引出口３４Ａまでの領域がシールドブラケット７０のシールド接続部７１に覆われている。したがって、仮に電線引出部およびガイド壁を短尺化すると、電線Ｗがシールドブラケット７０のエッジ部等に接触して電線Ｗの被覆が損傷してしまう虞がある。
【００４８】
すなわち、本実施形態のように、リテーナ本体５２から電線引出口３４Ａまでの領域が金属製のシールドブラケット７０に覆われている場合には、電線引出部３４の奥部にリテーナ本体５２を配置してリテーナ本体５２の後方に配索空間Ｓを形成することは、特に有効である。
【００４９】
以上のように、本実施形態によると、各電線Ｗの曲げ開始位置が電線引出口３４Ａよりも電線引出部３４の奥部（前端部）となり、各電線Ｗを配索空間Ｓにおいて屈曲させることができるから、電線引出口３４Ａから後方に引き出される電線Ｗの曲げ角度を緩やかにすることができ、電線Ｗへの屈曲による負担を軽減することができる。また、電線引出口３４Ａ付近における電線Ｗ同士の干渉を軽減することができ、電線Ｗの配索の自由度を向上させることができる。
また、ガイド壁５６によってリテーナ本体５２を電線引出部３４の奥部に正規の姿勢に配置することが容易となるから、バックリテーナ５０を装着する作業効率を向上させることができる。
【００５０】
＜他の実施形態＞
本発明は上記記述及び図面によって説明した実施形態に限定されるものではなく、例えば次のような実施形態も本発明の技術的範囲に含まれる。
（１）上記実施形態では、ガイド壁５６がリテーナ本体５２の外周縁部に全周に亘って形成された構成としたが、本発明はこのような態様に限定されるものではなく、例えば、ガイド壁がリテーナ本体の外周縁部に間欠的に形成されている構成でもよく、棒状のガイド部がリテーナ本体の四隅に形成されている構成でもよい。
（２）上記実施形態では、ハウジング３０内に３つのキャビティ３８が形成された構成としたが、本発明はこのような態様に限定されるものではなく、例えば、ハウジング内に形成されるハウジングは、２つでもよく、４つ以上でもよい。
（３）上記実施形態では、機器側接続部２１が前方に突出した状態で端子２０をキャビティ３８内に保持する構成としたが、本発明はこのような態様に限定されるものではなく、例えば、端子全体がキャビティ内に収容されて保持される構成にしてもよい。
（４）上記実施形態では、機器側接続部に固定されたナットをランスによって係止する構成としたが、本発明はこのような態様に限定されるものではなく、例えば、端子に設けられた係止孔にランスが嵌まり込むことで端子を係止する構成にしてもよい。
【符号の説明】
【００５１】
１０：コネクタ
２７：ゴム栓
３０：ハウジング
３０Ａ：隔壁
３４Ａ：電線引出口
３８：キャビティ
５０：バックリテーナ（リテーナ）
５２：リテーナ本体
５６：ガイド壁（ガイド部）
７０：シールドブラケット
７６：編組線（シールド部材）
Ｓ：配索空間（空間）
Ｗ：電線
【図１】
2015103500.tif 000003
【図２】
2015103500.tif 000004
【図３】
2015103500.tif 000005
【図４】
2015103500.tif 000006
【図５】
2015103500.tif 000007
【図６】
2015103500.tif 000008
【図７】
2015103500.tif 000009
【図８】
2015103500.tif 000010
【図９】
2015103500.tif 000011
【図１０】
2015103500.tif 000012